(57)【要約】【課題】より正確に広告の表示状況を監視することを可能とする広告表示状況監視プログラム、広告表示状況監視プログラム付加サーバおよび広告表示状況監視システムを提供する。【解決手段】広告に付加される広告表示状況監視プログラムであって、当該広告表示状況監視プログラムが付加された広告を受信したユーザ端末のプロセッサによって実行されることにより、前記ユーザ端末を、前記ユーザ端末における前記広告の表示状況を監視する手段として機能させる、広告表示状況監視プログラムが提供される。【選択図】図１
2020107231.tif 000002
【特許請求の範囲】
【請求項１】
広告に付加される広告表示状況監視プログラムであって、
当該広告表示状況監視プログラムが付加された広告を受信したユーザ端末のプロセッサによって実行されることにより、前記ユーザ端末を、前記ユーザ端末における広告の表示状況を監視する手段として機能させる、広告表示状況監視プログラム。
【請求項２】
前記手段は、
広告が表示されたか否か、
広告が表示された回数、
広告が表示された時間、
広告が表示された日時、
広告が表示された地域、および、
広告が動画である場合に、前記動画の再生開始時点および再生終了時点、
のうち少なくとも１つを前記表示状況として出力する、請求項１に記載の広告表示状況監視プログラム。
【請求項３】
前記広告が前記ユーザ端末から消去されるまでは、当該広告表示状況監視プログラムは前記ユーザ端末内で実行され、
前記広告が前記ユーザ端末から消去されると、当該広告表示状況監視プログラムは前記ユーザ端末から消滅する、請求項１または２に記載の広告表示状況監視プログラム。
【請求項４】
前記広告の掲載期間を経過するまでは、当該広告表示状況監視プログラムは前記ユーザ端末内で実行され、
前記広告の掲載期間が経過すると、当該広告表示状況監視プログラムは前記ユーザ端末から消滅する、請求項１または２に記載の広告表示状況監視プログラム。
【請求項５】
前記ユーザ端末に設定された動作許可期間が経過するまでは、当該広告表示状況監視プログラムは前記ユーザ端末内で実行され、
前記ユーザ端末に設定された動作許可期間が経過すると、当該広告表示状況監視プログラムは前記ユーザ端末から消滅する、請求項１または２に記載の広告表示状況監視プログラム。
【請求項６】
ユーザが当該広告表示状況監視プログラムを期限なしで受け入れた場合、ユーザが当該広告表示状況監視プログラムの動作の許諾を解除しない限り、前記ユーザ端末から消滅しない、請求項１または２に記載の広告表示状況監視プログラム。
【請求項７】
前記ユーザ端末を、前記表示状況を広告表示状況監視サーバに出力する手段として機能させる、請求項１乃至６のいずれかに記載の広告表示状況監視プログラム。
【請求項８】
当該広告表示状況監視プログラムが正規のものか否かを判別するための暗号が付加された、請求項１乃至７のいずれかに記載の広告表示状況監視プログラム。
【請求項９】
広告を受信する広告受信部と、
請求項１乃至８のいずれかに記載の広告表示状況監視プログラムを前記広告に付加するプログラム付加部と、を備える広告表示状況監視プログラム付加サーバ。
【請求項１０】
前記プログラム付加部は、所定の暗号が付加された前記広告表示状況監視プログラムを前記広告に付加する、請求項９に記載の広告表示状況監視プログラム付加サーバ。
【請求項１１】
ユーザ端末を、
ユーザ操作に基づき、請求項１乃至８のいずれかに記載の広告表示状況監視プログラムが当該ユーザ端末で動作することを許諾するか否かを設定する設定部と、
広告を処理する広告処理部と、として機能させる端末制御プログラムであって、
前記広告処理部は、
（１）前記広告表示状況監視プログラムの動作を許諾する設定の場合、
前記広告表示状況監視プログラムの動作を許諾し、
前記広告表示状況監視プログラムが付加された広告を前記ユーザ端末のディスプレイに表示させ、
（２）前記広告表示状況監視プログラムの動作を許諾しない設定の場合、
前記広告表示状況監視プログラムの動作を許諾せず、
前記広告表示状況監視プログラムが付加された広告を前記ユーザ端末のディスプレイに表示させる、端末制御プログラム。
【請求項１２】
前記設定部は、前記広告表示状況監視プログラムの動作を許諾する設定の場合に、さらに、前記広告表示状況監視プログラムが付加されていない広告を当該ユーザ端末のディスプレイに表示することを許諾するか否かを設定し、
前記広告処理部は、
（１Ａ）前記広告表示状況監視プログラムの動作を許諾し、かつ、前記広告表示状況監視プログラムが付加されていない広告の表示を許諾する設定の場合、
前記広告表示状況監視プログラムの動作を許諾し、
前記広告表示状況監視プログラムが付加された広告を前記ユーザ端末のディスプレイに表示させ、
前記広告表示状況監視プログラムが付加されていない広告を前記ユーザ端末のディスプレイに表示させ、
（１Ｂ）前記広告表示状況監視プログラムの動作を許諾し、かつ、前記広告表示状況監視プログラムが付加されていない広告の表示を許諾しない設定の場合、
前記広告表示状況監視プログラムの動作を許諾し、
前記広告表示状況監視プログラムが付加された広告を前記ユーザ端末のディスプレイに表示させ、
前記広告表示状況監視プログラムが付加されていない広告を前記ユーザ端末のディスプレイに表示させず、
（２）前記広告表示状況監視プログラムの動作を許諾しない設定の場合、
前記広告表示状況監視プログラムの動作を許諾せず、
前記広告表示状況監視プログラムが付加された広告を前記ユーザ端末のディスプレイに表示させ、
前記広告表示状況監視プログラムが付加されていない広告を前記ユーザ端末のディスプレイに表示させる、請求項１１に記載の端末制御プログラム。
【請求項１３】
前記設定部は、ユーザ操作に基づき、前記広告表示状況監視プログラムの動作を許諾する設定の場合に、
前記広告表示状況監視プログラムが付加された広告が当該ユーザ端末から消去されると、前記広告表示状況監視プログラムが消滅するようにするか、
前記広告表示状況監視プログラムが付加された広告の掲載期間が経過すると、当該広告表示状況監視プログラムが消滅するようにするか、
前記広告表示状況監視プログラムの動作許諾期間を設定し、前記動作許諾期間が経過すると、当該広告表示状況監視プログラムが消滅するようにするか、
動作許諾期間を定めずに前記広告表示状況監視プログラムの動作を許諾するか、を設定する、請求項１１または１２に記載の端末制御プログラム。
【請求項１４】
前記設定部は、
当該ユーザ端末で前記広告表示状況監視プログラムが動作していない状態で、前記広告表示状況監視プログラムが付加された広告が受信された場合に、ユーザ操作に基づいて、広告表示状況監視プログラムが当該ユーザ端末で動作することを許諾するか否かを設定し、
許諾する設定とされると、その後に前記広告表示状況監視プログラムが付加された広告が受信された場合は、ユーザ操作なく、広告表示状況監視プログラムが当該ユーザ端末で動作することを許諾する、請求項１１乃至１３のいずれかに記載の端末制御プログラム。
【請求項１５】
前記ユーザ端末のＯＳ、Ｗｅｂブラウザ、アプリケーションまたはプロセッサにプラグインされる、請求項１１乃至１４のいずれかに記載の端末制御プログラム。
【請求項１６】
ユーザ操作に基づき、請求項１乃至８のいずれかに記載の広告表示状況監視プログラムが当該ユーザ端末で動作することを許諾するか否かを設定する設定部と、
広告を処理する広告処理部と、を備えるユーザ端末であって、
前記広告処理部は、
（１）前記広告表示状況監視プログラムの動作を許諾する設定の場合、
前記広告表示状況監視プログラムの動作を許諾し、
前記広告表示状況監視プログラムが付加された広告を前記ユーザ端末のディスプレイに表示させ、
（２）前記広告表示状況監視プログラムの動作を許諾しない設定の場合、
前記広告表示状況監視プログラムの動作を許諾せず、
前記広告表示状況監視プログラムが付加された広告を前記ユーザ端末のディスプレイに表示させる、ユーザ端末。
【請求項１７】
ユーザ端末における設定部が、ユーザ操作に基づき、請求項１乃至８のいずれかに記載の広告表示状況監視プログラムが当該ユーザ端末で動作することを許諾するか否かを設定し、
前記ユーザ端末における広告処理部が、
（１）前記広告表示状況監視プログラムの動作を許諾する設定の場合、
前記広告表示状況監視プログラムの動作を許諾し、
前記広告表示状況監視プログラムが付加された広告を前記ユーザ端末のディスプレイに表示させ、
（２）前記広告表示状況監視プログラムの動作を許諾しない設定の場合、
前記広告表示状況監視プログラムの動作を許諾せず、
前記広告表示状況監視プログラムが付加された広告を前記ユーザ端末のディスプレイに表示させる、ユーザ端末における端末制御方法。
【請求項１８】
請求項１乃至８のいずれかに記載の広告表示状況監視プログラムが付加された広告を受信する不正プログラム判定装置であって、
受信した広告表示状況監視プログラムに所定の暗号が付加されているか否かに基づいて、受信した広告表示状況監視プログラムが不正なものであるか否かを判定する判定部を備える不正プログラム判定装置。
【請求項１９】
請求項１乃至８のいずれかに記載の広告表示状況監視プログラムが付加された広告を受信し、
受信した広告表示状況監視プログラムに所定の暗号が付加されているか否かに基づいて、受信した広告表示状況監視プログラムが不正なものであるか否かを判定する、不正プログラム判定方法。
【発明の詳細な説明】
【技術分野】
【０００１】
本発明は、広告の表示状況を監視するための広告表示状況監視プログラム、広告表示状況監視プログラム付加サーバ、端末制御プログラム、ユーザ端末および端末制御方法、ならびに、不正な広告表示状況監視プログラムを判定する不正プログラム判定装置および不正プログラム判定方法に関する。
【背景技術】
【０００２】
特許文献１には、インターネット用広告掲載確認システムが開示されている。しかしながら、同文献に記載の手法では、必ずしも正確に広告の掲載状況を確認できるとは限らない。
【先行技術文献】
【特許文献】
【０００３】
【特許文献１】特開２００１−１６７０２９号公報
【発明の概要】
【発明が解決しようとする課題】
【０００４】
本発明はこのような問題点に鑑みてなされたものであり、本発明の課題は、より正確に広告の表示状況を監視することを可能とする広告表示状況監視プログラム、広告表示状況監視プログラム付加サーバ、端末制御プログラム、ユーザ端末および端末制御方法、ならびに、そのような広告表示状況監視プログラムが不正なものであるか否かを判定する不正プログラム判定装置および不正プログラム判定方法を提供することである。
【課題を解決するための手段】
【０００５】
本発明の一態様によれば、広告に付加される広告表示状況監視プログラムであって、当該広告表示状況監視プログラムが付加された広告を受信したユーザ端末のプロセッサによって実行されることにより、前記ユーザ端末を、前記ユーザ端末における前記広告の表示状況を監視する手段として機能させる、広告表示状況監視プログラムが提供される。
【０００６】
前記手段は、前記広告が表示されたか否か、前記広告が表示された回数、前記広告が表示された時間、前記広告が表示された日時、広告が表示された地域、および、前記広告が動画である場合に、前記動画の再生開始時点および再生終了時点、のうち少なくとも１つを前記表示状況として出力するのが望ましい。
【０００７】
前記広告が前記ユーザ端末から消去されるまでは、当該広告表示状況監視プログラムは前記ユーザ端末内で実行され、前記広告が前記ユーザ端末から消去されると、当該広告表示状況監視プログラムは前記ユーザ端末から消滅するのが望ましい。
【０００８】
前記広告の掲載期間を経過するまでは、当該広告表示状況監視プログラムは前記ユーザ端末内で実行され、前記広告の掲載期間が経過すると、当該広告表示状況監視プログラムは前記ユーザ端末から消滅するのが望ましい。
【０００９】
前記ユーザ端末に設定された動作許可期間が経過するまでは、当該広告表示状況監視プログラムは前記ユーザ端末内で実行され、前記ユーザ端末に設定された動作許可期間が経過すると、当該広告表示状況監視プログラムは前記ユーザ端末から消滅するのが望ましい。
【００１０】
ユーザが当該広告表示状況監視プログラムを期限なしで受け入れた場合、ユーザが当該広告表示状況監視プログラムの動作の許諾を解除しない限り、前記ユーザ端末から消滅しないのが望ましい。
【００１１】
前記ユーザ端末を、前記表示状況を広告表示状況監視サーバに出力する手段として機能させるのが望ましい。
【００１２】
当該広告表示状況監視プログラムが正規のものか否かを判別するための暗号が付加されるのが望ましい。
【００１３】
本発明の別の態様によれば、広告を受信する広告受信部と、上記の広告表示状況監視プログラムを前記広告に付加するプログラム付加部と、を備える広告表示状況監視プログラム付加サーバが提供される。
【００１４】
前記プログラム付加部は、所定の暗号が付加された前記広告表示状況監視プログラムを前記広告に付加するのが望ましい。
【００１５】
本発明の別の態様によれば、ユーザ端末を、ユーザ操作に基づき、請求項１乃至６のいずれかに記載の広告表示状況監視プログラムが当該ユーザ端末で動作することを許諾するか否かを設定する設定部と、広告を処理する広告処理部と、として機能させる端末制御プログラムであって、前記広告処理部は、（１）前記広告表示状況監視プログラムの動作を許諾する設定の場合、前記広告表示状況監視プログラムの動作を許諾し、前記広告表示状況監視プログラムが付加された広告を前記ユーザ端末のディスプレイに表示させ、（２）前記広告表示状況監視プログラムの動作を許諾しない設定の場合、前記広告表示状況監視プログラムの動作を許諾せず、前記広告表示状況監視プログラムが付加された広告を前記ユーザ端末のディスプレイに表示させる、端末制御プログラムが提供される。
【００１６】
前記設定部は、前記広告表示状況監視プログラムの動作を許諾する設定の場合に、さらに、前記広告表示状況監視プログラムが付加されていない広告を当該ユーザ端末のディスプレイに表示することを許諾するか否かを設定し、前記広告処理部は、（１Ａ）前記広告表示状況監視プログラムの動作を許諾し、かつ、前記広告表示状況監視プログラムが付加されていない広告の表示を許諾する設定の場合、前記広告表示状況監視プログラムの動作を許諾し、前記広告表示状況監視プログラムが付加された広告を前記ユーザ端末のディスプレイに表示させ、前記広告表示状況監視プログラムが付加されていない広告を前記ユーザ端末のディスプレイに表示させ、（１Ｂ）前記広告表示状況監視プログラムの動作を許諾し、かつ、前記広告表示状況監視プログラムが付加されていない広告の表示を許諾しない設定の場合、前記広告表示状況監視プログラムの動作を許諾し、前記広告表示状況監視プログラムが付加された広告を前記ユーザ端末のディスプレイに表示させ、前記広告表示状況監視プログラムが付加されていない広告を前記ユーザ端末のディスプレイに表示させず、（２）前記広告表示状況監視プログラムの動作を許諾しない設定の場合、前記広告表示状況監視プログラムの動作を許諾せず、前記広告表示状況監視プログラムが付加された広告を前記ユーザ端末のディスプレイに表示させ、前記広告表示状況監視プログラムが付加されていない広告を前記ユーザ端末のディスプレイに表示させるのが望ましい。
【００１７】
前記設定部は、ユーザ操作に基づき、前記広告表示状況監視プログラムの動作を許諾する設定の場合に、前記広告表示状況監視プログラムが付加された広告が当該ユーザ端末から消去されると、前記広告表示状況監視プログラムが消滅するようにするか、前記広告表示状況監視プログラムが付加された広告の掲載期間が経過すると、当該広告表示状況監視プログラムが消滅するようにするか、前記広告表示状況監視プログラムの動作許諾期間を設定し、前記動作許諾期間が経過すると、当該広告表示状況監視プログラムが消滅するようにするか、動作許諾期間を定めずに前記広告表示状況監視プログラムの動作を許諾するか、を設定するのが望ましい。
【００１８】
前記設定部は、当該ユーザ端末で前記広告表示状況監視プログラムが動作していない状態で、前記広告表示状況監視プログラムが付加された広告が受信された場合に、ユーザ操作に基づいて、広告表示状況監視プログラムが当該ユーザ端末で動作することを許諾するか否かを設定し、許諾する設定とされると、その後に前記広告表示状況監視プログラムが付加された広告が受信された場合は、ユーザ操作なく、広告表示状況監視プログラムが当該ユーザ端末で動作することを許諾するのが望ましい。
【００１９】
上記の端末制御プログラムは、前記ユーザ端末のＯＳ、Ｗｅｂブラウザ、アプリケーションまたはプロセッサにプラグインされるのが望ましい。
【００２０】
本発明の別の態様によれば、ユーザ操作に基づき、上記の広告表示状況監視プログラムが当該ユーザ端末で動作することを許諾するか否かを設定する設定部と、広告を処理する広告処理部と、を備えるユーザ端末であって、前記広告処理部は、（１）前記広告表示状況監視プログラムの動作を許諾する設定の場合、前記広告表示状況監視プログラムの動作を許諾し、前記広告表示状況監視プログラムが付加された広告を前記ユーザ端末のディスプレイに表示させ、（２）前記広告表示状況監視プログラムの動作を許諾しない設定の場合、前記広告表示状況監視プログラムの動作を許諾せず、前記広告表示状況監視プログラムが付加された広告を前記ユーザ端末のディスプレイに表示させる、ユーザ端末が提供される。
【００２１】
本発明の別の態様によれば、ユーザ端末における設定部が、ユーザ操作に基づき、上記の広告表示状況監視プログラムが当該ユーザ端末で動作することを許諾するか否かを設定し、前記ユーザ端末における広告処理部が、（１）前記広告表示状況監視プログラムの動作を許諾する設定の場合、前記広告表示状況監視プログラムの動作を許諾し、前記広告表示状況監視プログラムが付加された広告を前記ユーザ端末のディスプレイに表示させ、（２）前記広告表示状況監視プログラムの動作を許諾しない設定の場合、前記広告表示状況監視プログラムの動作を許諾せず、前記広告表示状況監視プログラムが付加された広告を前記ユーザ端末のディスプレイに表示させる、ユーザ端末における端末制御方法が提供される。
【００２２】
本発明の別の態様によれば、上記の広告表示状況監視プログラムが付加された広告を受信する不正プログラム判定装置であって、受信した広告表示状況監視プログラムに所定の暗号が付加されているか否かに基づいて、受信した広告表示状況監視プログラムが不正なものであるか否かを判定する判定部を備える不正プログラム判定装置が提供される。
【００２３】
本発明の別の態様によれば、上記の広告表示状況監視プログラムが付加された広告を受信し、受信した広告表示状況監視プログラムに所定の暗号が付加されているか否かに基づいて、受信した広告表示状況監視プログラムが不正なものであるか否かを判定する、不正プログラム判定方法が提供される。
【発明の効果】
【００２４】
より正確に広告の表示状況を監視することが可能となる。
【図面の簡単な説明】
【００２５】
【図１】第１の実施形態に係る広告表示状況監視システムの概略構成を示すブロック図。
【図２】第１の実施形態に係る広告表示状況監視システムの概略構成を示すブロック図。
【図３】第２の実施形態に係る広告表示状況監視システムの概略構成を示すブロック図。
【発明を実施するための形態】
【００２６】
以下、本発明に係る実施形態について、図面を参照しながら具体的に説明する。
【００２７】
（第１の実施形態）
図１は、第１の実施形態に係る広告表示状況監視システムの概略構成を示すブロック図である。広告表示状況監視システムは、広告表示状況監視プログラム付加サーバ１（以下、単に「プログラム付加サーバ１」という）と、広告表示状況監視サーバ４とを備えている。この広告表示状況監視システムはユーザ端末３における広告表示状況等を監視するものである。
【００２８】
プログラム付加サーバ１は、広告受信部１１と、プログラム付加部１２と、配信部１３とを有し、例えばコンテンツ提供会社、インターネットメディア、広告主、広告代理店、マーケティング会社等が運営・管理する。
【００２９】
広告受信部１１は、バナー広告、文字広告、リスティング広告、動画広告、広告コンテンツ、ターゲティング広告等といったインターネット用の任意の広告を、広告制作者（広告主・広告代理店・制作会社等）から受信する。
【００３０】
プログラム付加部１２は、広告受信部１１が受信した広告に、広告表示状況監視プログラム（以下、単に「監視プログラム」という）を付加する。監視プログラムは広告の表示状況等を監視するものであるが、詳細は後述する。なお、いずれの広告にも同一の監視プログラムが付加されるが、監視プログラムがどの広告に付加されていたかを監視プログラム自身及びプログラム付加サーバ１が把握しているのが望ましい。
【００３１】
配信部１３は監視プログラムが付加された広告（以下、単に「監視プログラム付き広告」という）をユーザ端末３に配信する。配信部１３は所定のコンテンツ（例えば、タグ付けされた特定のＷｅｂページの特定の場所）をターゲットとしてこれらの広告を配信してもよい。
【００３２】
なお、監視プログラムは、広告掲載に関する不正を行わないことを決意した善良な広告主、広告代理店、制作会社、マーケティング会社等（以下「広告配信者」と総称する）にのみ、使用が許諾される。そのため、プログラム付加サーバ１は、広告を吟味して適正な広告のみを配信することを決意した広告配信者に使用が許諾される。あるいは善良な広告配信者に対しては、本件広告配信システム全体の利用許諾が与えられてもよい。
【００３３】
このような運用を行えば、悪意のあるウィルスやスパイウェアが添付された広告、個人情報を引き出すピッキング広告など不正広告に監視プログラムが付加されることはない。一方、善良な広告配信者であれば、全ての広告に監視プログラムを付加することとなる。監視プログラムを付加することは、広告の表示状況監視を可能にするのみならず、後述するようにユーザにとっても大きなメリットがあるためである。
【００３４】
以上の結果、監視プログラムが付加された全ての広告は不正広告でないことが保証される。言い換えると、監視プログラムが付加されていない広告（以下、単に「監視プログラムなし広告」）は不正広告の可能性がある。このような不正広告はプログラム付加サーバ１から配信されることはあり得ず、独自の配信サーバ（不図示）からユーザ端末３に配信される。
【００３５】
ユーザ端末３は、メモリ、プロセッサおよびディスプレイなどを有し、インターネットに接続される任意のコンピュータ（例えばスマートフォンやタブレットといった携帯機器、パーソナルコンピュータ等）であり、一般ユーザによって使用される。ユーザ端末３はユーザが望むコンテンツ（以下、具体例としてユーザ所望のＷｅｂページとする）を受信する。また、ユーザ端末３は、プログラム付加サーバ１から監視プログラム付き広告を受信し、他の配信サーバから監視プログラムなし広告を受信する。繰り返しになるが、前者の広告は不正広告たり得ず、後者の広告は不正広告の可能性がある。
【００３６】
ユーザ端末３は、設定部３１と、広告処理部３２とを有する。これらの機能は端末制御プログラムとして実現可能であり、例えばＯＳに組み込まれていてもよいし、Ｗｅｂブラウザに組み込まれていてもよいし、特定のアプリであってもよい。
【００３７】
設定部３１はユーザ操作に基づいて広告処理部３２の処理内容を設定する。広告処理部３２は、設定部３１の設定に基づき、監視プログラムの動作や広告の表示を制御する。
【００３８】
図２は、設定部３１による設定と、広告処理部３２による処理内容との関係を示す表である。
【００３９】
監視プログラムがユーザ端末３内で活動すると、広告の表示状況等が監視され、外部の広告表示状況監視サーバ４に報告されることとなる。このことを受け入れるか否かをユーザ自身が判断する。そして、ユーザ端末３には監視プログラムが動作することを許諾するか否かを設定するための画面が表示される。この画面に対してユーザが必要な操作を行い、設定部３１はユーザ端末３で監視プログラムが動作することを許諾するか否かを設定する。また、監視プログラムの動作を許諾する設定の場合、設定部３１はさらに、監視プログラムなし広告の表示可否を設定できる。一方、監視プログラムの動作を許諾しない設定の場合、設定部３１は監視プログラムなし広告の表示可否を設定できない。
【００４０】
監視プログラムの活動を許諾しない設定の場合、ユーザ端末３は監視プログラム付き広告を受信しても、広告処理部３２はユーザ端末３の内部で監視プログラムを機能させることはなく、ＯＳ、Ｗｅｂブラウザ、アプリケーション、プロセッサ等へのプラグインも行われない。この設定の場合、設定部３１は監視プログラムなし広告の表示可否を設定できないため、広告処理部３２は受信した全ての広告を表示する。したがって、広告処理部３２が不正広告を表示してしまうこともあり得る。
【００４１】
一方、監視プログラムの活動を許諾する設定の場合、ユーザ端末３が監視プログラム付き広告を受信すると、広告処理部３２は監視プログラムを分離し、必要に応じてＯＳやＷｅｂブラウザ、アプリケーション、プロセッサ等へのプラグインを行う。そして、広告処理部３２は広告をキャッシュし、Ｗｅｂページに重畳されて表示する。また、広告処理部３２は監視プログラムの実行を許諾し、ユーザ端末３のプロセッサは分離された監視プログラムの実行を開始する。監視プログラムが実行されることにより、広告の表示状況が監視される。
【００４２】
ここで、上述したように監視プログラムの活動を許諾する設定の場合、設定部３１は監視プログラムなし広告の表示を許可しない（つまり、監視プログラム付き広告のみを表示する）設定とすることができる。このような設定にすると、広告処理部３２は不正広告の可能性がある監視プログラムなし広告を表示しない。すなわち、監視プログラムの活動を許容することで、不正広告が表示されないようにすることができる。よって、広告の表示状況が監視されることを承認し、監視プログラムの活動を許諾する設定とすることは、ユーザにとって大きなメリットがある。
【００４３】
もちろん、監視プログラムの活動を許諾する設定であっても、設定部３１は監視プログラムなし広告の表示を許可する（つまり、全ての広告を表示する）設定とすることができる。ただし、このような設定にすると、広告処理部３２は不正広告を表示してしまうこともあり得る。
【００４４】
なお、設定部３１は任意のタイミングで図２に示す設定を行ってよい。設定部３１は、監視プログラム付き広告が受信される度に設定用の画面を表示し、ユーザ操作を受け付けることもできる。しかし、設定部３１は、ユーザ端末３で監視プログラムが動作していない状態で監視プログラム付き広告が受信された場合に、設定用の画面を表示してユーザ操作を受け付けて設定を行い、一旦、監視プログラムの活動を許諾する設定とされると、その後に監視プログラムが付加された広告が受信されたとしても、あらためてユーザ操作を求めることなく、許諾設定を維持するのが望ましい。
【００４５】
広告の監視は以下のように行う。監視プログラムにより、広告がユーザ端末３のディスプレイに表示されたか否か、表示された回数、表示された時間、表示された日時などが取得され、ユーザ端末３のメモリに一時記憶する。また、広告が動画である場合には、どの部分が再生されたか（再生開始時点と再生終了時点）なども取得される。また、広告を受信して表示した地域に関する位置情報も取得される。
【００４６】
監視対象の広告は、監視プログラムが付加されていた広告のみであってもよいが、あらゆる広告を監視するのが望ましい。また、監視対象は広告に限られなくてもよい。例えば、どのＷｅｂサイトからどのＷｅｂサイトに移動したか、どのバナー広告等がクリックされたか、Ｗｅｂサイト上から資料請求や試乗等各種の申込を行ったか、購入したかなどを監視してもよい。また、広告表示状況監視プログラムはコンテンツ視聴状況監視プログラムを含んでおり、あるいは広告表示状況監視プログラムとコンテンツ視聴状況監視プログラムは別個に配信されても良いが、いずれも広告表示状況監視プログラムの配信を契機として、別個に視聴者の許諾を得て、どのＷｅｂサイトがどのくらい視聴されたかという、視聴状況データも収集してもよい。このような視聴状況の調査が、広告配信を起点として実現可能となる。
【００４７】
広告表示状況監視プログラム（以下、監視プログラム）自体がユーザ端末３で実行されるため、このような監視が可能となる。そして、監視プログラムにより、ユーザ端末３内のメモリに一時記憶された表示状況等が任意のタイミングで（例えば、逐次あるいは定期的）広告表示状況監視サーバ４に出力される。広告表示状況監視サーバ４は、必要に応じて広告配信者に表示状況等に関する情報を提供する。
【００４８】
コンテンツ視聴状況監視プログラムにより、ユーザ端末３内のメモリに一時記憶された視聴状況等が任意のタイミングで（例えば、逐次あるいは定期的）コンテンツ視聴状況監視サーバ（不図示）に出力される。コンテンツ視聴状況監視サーバは必要に応じて広告配信者にコンテンツ視聴状況に関する情報を提供する。
【００４９】
なお、監視プログラムの活動を許諾する設定の場合、設定部３１は許諾期間の設定をできてもよい。
【００５０】
例えば、監視プログラムが付加されていた広告がユーザ端末３から消去されると、監視プログラムが消滅するような設定が可能であってもよい。この設定の場合、当該広告がキャッシュされ繰り返し表示される間、プロセッサは監視プログラムの実行を継続する。そして、広告がキャッシュから消去されると、監視プログラムも消滅する。具体的には、広告の消去をプロセッサが検知し、これに応じて監視プログラムを削除してもよい。
【００５１】
また、監視プログラムが付加されていた広告の掲載期間が経過すると、監視プログラムが消滅するような設定が可能であってもよい。この設定の場合、当該広告がキャッシュされ繰り返し表示される間、プロセッサは監視プログラムの実行を継続する。また、当該広告がキャッシュされ繰り返し表示される間だけでなく、一定期間繰り返し配信される場合もプロセッサは監視プログラムの実行を継続してもよい。そして、広告の掲載期間が経過すると、監視プログラムも消滅する。具体的には、広告の掲載期間の経過をプロセッサが検知し、これに応じて監視プログラムを削除してもよい。
【００５２】
さらに、監視プログラムが付加されていた広告とは無関係に監視プログラムの動作許諾期間を設定し、動作許諾期間が経過すると、監視プログラムが消滅するような設定が可能であってもよい。この設定の場合、動作許諾期間中は監視プログラムがユーザ端末３にとどまって、プロセッサは監視プログラムの実行を継続する。そして、動作許諾期間が経過すると、監視プログラムも消滅する。具体的には、動作許諾期間の経過をプロセッサが検知し、これに応じて監視プログラムを削除してもよい。
【００５３】
また、期限を定めずに監視プログラムの動作を許諾できてもよい、この場合、任意のタイミングでユーザが許諾を解除できるのが望ましい。具体的には、許諾を解除するための操作をユーザが行うと、所定のＵＲＬが表示される。そして、当該ＵＲＬで示されるＷｅｂページを表示すると、監視プログラムを削除するためのプログラムがユーザ端末３にダウンロードされる。この削除するためのプログラムを実行すると、監視プログラムが削除される。なお、監視プログラムのメリットを認めたユーザが、監視プログラムを期限なしで受け入れられるようにしてもよい。この場合、ユーザが許諾を解除しない限り、監視プログラムは消滅することなくユーザ端末３で実行され続けるのが望ましい。
【００５４】
このように、第１の実施形態によれば、監視プログラムを広告に付加してユーザ端末３に配信する。そのため、ユーザ端末３で監視プログラムを実行することにより、当該ユーザ端末３における広告の表示状況等を確実に監視できる。
【００５５】
なお、便宜上、プログラム付加サーバ１と広告表示状況監視サーバ４とを別個の装置としているが、これらが一体であってもよい。また、プログラム付加サーバ１は、例えば広告受信部１１およびプログラム付加部１２から構成されるサーバと、配信部１３から構成されるサーバとに分散されてもよい。
【００５６】
（第２の実施形態）
上述したように、本監視プログラムは非常に有用である。そのため、監視プログラムが盗用されるおそれがある。そこで、第２の実施形態では、仮に盗用されたとしてもそのことを検知できる仕組みを提供する。
【００５７】
図３は、第２の実施形態に係る広告表示状況監視システムの概略構成を示すブロック図である。本実施形態では、広告表示状況監視システムが複数のプログラム付加サーバ１を備えており、さらにロボット検索装置であるクローラー５（不正プログラム判定装置）を備えている。なお、図２では、図１と同様のユーザ端末３の図示を省略している。
【００５８】
第１の実施形態で述べたように、監視プログラムは善良な者にのみ使用が許諾される。図３および以降の説明では、使用が許諾された監視プログラムが提供されたプログラム付加サーバ１を許諾済プログラム付加サーバ１ａと呼び、使用が許諾されていないにもかかわらず本監視プログラムを盗用して広告に付加するプログラム付加サーバ１を非許諾プログラム付加サーバ１ｂと呼ぶ。また、許諾されていない盗用された監視プログラムを不正な監視プログラムとも呼ぶ。
【００５９】
本実施形態では、許諾済プログラム付加サーバ１ａが互いに連携しており、これら許諾済プログラム付加サーバ１ａしか知らない暗号が設定される。なお、一種類の暗号をすべての許諾済プログラム付加サーバ１ａが共有していてもよいし、複数種類の暗号があってもよい。そして、各許諾済プログラム付加サーバ１ａのプログラム付加部１２は、暗号が付加された監視プログラムを広告に付加する。これにより、許諾済プログラム付加サーバ１ａからは暗号が付加された監視プログラム付き広告が配信されることとなる。
【００６０】
一方、非許諾プログラム付加サーバ１ｂは暗号を知らない。そのため、そのようなプログラム付加サーバ１からは、暗号が付加されていない不正な監視プログラム付き広告が配信される。
【００６１】
クローラー５はユーザ端末３と同様、広告を受信する。また、クローラー５は判定部５１を有し、受信した広告に付加された監視プログラムが許諾されたものか不正なものかを判定する。
【００６２】
具体的には、監視プログラムの盗用を検知するために、クローラー５は配信されている広告を自動的に取得する。そして、判定部５１は、監視プログラムが付加されて広告の表示状況等（あるいは、何らかのユーザ端末３に関する情報）がクローラー５から広告表示状況監視サーバ４に報告されている広告を検知する。そして、そのような広告に付加されていた監視プログラムに暗号が含まれていれば、判定部５１はその監視プログラムは許諾されていたものであると判定する。一方、そのような広告に付加されていた監視プログラムに暗号が含まれていなければ、判定部５１はその監視プログラムは不正なものであると判定する。
【００６３】
このように、第２の実施形態では、監視プログラムのみならず、特定の暗号を監視プログラムに付加する。そのため、監視プログラムの盗用の検知が可能となる。
【００６４】
なお、第２の実施形態で説明した、所定の暗号が付加された監視プログラムは、広告に付加されて配信されるだけでなく、ユーザが主体的に取得できるのが望ましい。不正広告を表示不可とするメリットに気づいたユーザ自身が自ら本監視プログラムの取得を望むことがあるためである。具体的には、暗号が付加された監視プログラムの正規配信者のホームページ等からユーザが直接ダウンロード可能としたり、暗号が付加された監視プログラムを記録した記録媒体（ＵＳＢメモリやＣＤ−ＲＯＭ等）を有償あるいは無償で譲渡したりしてもよい。
【００６５】
上述した実施形態は、本発明が属する技術分野における通常の知識を有する者が本発明を実施できることを目的として記載されたものである。上記実施形態の種々の変形例は、当業者であれば当然になしうることであり、本発明の技術的思想は他の実施形態にも適用しうることである。したがって、本発明は、記載された実施形態に限定されることはなく、特許請求の範囲によって定義される技術的思想に従った最も広い範囲とすべきである。
【符号の説明】
【００６６】
１  広告表示状況監視プログラム付加サーバ
１ａ  許諾済プログラム付加サーバ
１ｂ  非許諾プログラム付加サーバ
１１  広告受信部
１２  プログラム付加部
１３  配信部
３  ユーザ端末
３１  設定部
３２  広告処理部
４  広告表示状況監視サーバ
５  クローラー
５１  判定部
【図１】
2020107231.tif 000003
【図２】
2020107231.tif 000004
【図３】
2020107231.tif 000005
【手続補正書】
【提出日】令和1年7月22日(2019.7.22)
【手続補正１】
【補正対象書類名】特許請求の範囲
【補正対象項目名】全文
【補正方法】変更
【補正の内容】
【特許請求の範囲】
【請求項１】
広告を受信する広告受信部と、
ユーザ端末を前記ユーザ端末における広告の表示状況を監視する手段として機能させる広告表示状況監視プログラムを前記広告に付加するプログラム付加部と、
前記広告に付加された前記広告表示状況監視プログラムを前記ユーザ端末に配信する配信部と、を備える広告表示状況監視プログラム付加サーバ。
【請求項２】
ユーザ端末を、
広告に付加された広告表示状況監視プログラムであって、前記ユーザ端末を前記ユーザ端末における広告の表示状況を監視する手段として機能させる広告表示状況監視プログラムを受信する受信部と、
前記広告と、前記広告表示状況監視プログラムとを分離し、前記広告表示状況監視プログラムを当該ユーザ端末のＯＳ、Ｗｅｂブラウザ、アプリケーションまたはプロセッサにプラグインするとともに、前記広告をＷｅｂページに表示させる広告処理部と、として機能させる端末制御プログラム。
【請求項３】
前記ユーザ端末を、ユーザ操作に基づき、前記広告表示状況監視プログラムが当該ユーザ端末で動作することを許諾するか否かを設定する設定部と、として機能させ、
前記広告処理部は、
（１）前記広告表示状況監視プログラムの動作を許諾する設定の場合、
前記広告表示状況監視プログラムの動作を許諾し、
前記広告表示状況監視プログラムが付加された広告を前記ユーザ端末のディスプレイに表示させ、
（２）前記広告表示状況監視プログラムの動作を許諾しない設定の場合、
前記広告表示状況監視プログラムの動作を許諾せず、
前記広告表示状況監視プログラムが付加された広告を前記ユーザ端末のディスプレイに表示させる、請求項２に記載の端末制御プログラム。
【請求項４】
前記設定部は、前記広告表示状況監視プログラムの動作を許諾する設定の場合に、さらに、前記広告表示状況監視プログラムが付加されていない広告を当該ユーザ端末のディスプレイに表示することを許諾するか否かを設定し、
前記広告処理部は、
（１Ａ）前記広告表示状況監視プログラムの動作を許諾し、かつ、前記広告表示状況監視プログラムが付加されていない広告の表示を許諾する設定の場合、
前記広告表示状況監視プログラムの動作を許諾し、
前記広告表示状況監視プログラムが付加された広告を前記ユーザ端末のディスプレイに表示させ、
前記広告表示状況監視プログラムが付加されていない広告を前記ユーザ端末のディスプレイに表示させ、
（１Ｂ）前記広告表示状況監視プログラムの動作を許諾し、かつ、前記広告表示状況監視プログラムが付加されていない広告の表示を許諾しない設定の場合、
前記広告表示状況監視プログラムの動作を許諾し、
前記広告表示状況監視プログラムが付加された広告を前記ユーザ端末のディスプレイに表示させ、
前記広告表示状況監視プログラムが付加されていない広告を前記ユーザ端末のディスプレイに表示させず、
（２）前記広告表示状況監視プログラムの動作を許諾しない設定の場合、
前記広告表示状況監視プログラムの動作を許諾せず、
前記広告表示状況監視プログラムが付加された広告を前記ユーザ端末のディスプレイに表示させ、
前記広告表示状況監視プログラムが付加されていない広告を前記ユーザ端末のディスプレイに表示させる、請求項３に記載の端末制御プログラム。
【請求項５】
前記設定部は、ユーザ操作に基づき、前記広告表示状況監視プログラムの動作を許諾する設定の場合に、
前記広告表示状況監視プログラムが付加された広告が当該ユーザ端末から消去されると、前記広告表示状況監視プログラムが消滅するようにするか、
前記広告表示状況監視プログラムが付加された広告の掲載期間が経過すると、当該広告表示状況監視プログラムが消滅するようにするか、
前記広告表示状況監視プログラムの動作許諾期間を設定し、前記動作許諾期間が経過すると、当該広告表示状況監視プログラムが消滅するようにするか、
動作許諾期間を定めずに前記広告表示状況監視プログラムの動作を許諾するか、を設定する、請求項３または４に記載の端末制御プログラム。
【請求項６】
前記設定部は、
当該ユーザ端末で前記広告表示状況監視プログラムが動作していない状態で、前記広告表示状況監視プログラムが付加された広告が受信された場合に、ユーザ操作に基づいて、広告表示状況監視プログラムが当該ユーザ端末で動作することを許諾するか否かを設定し、
許諾する設定とされると、その後に前記広告表示状況監視プログラムが付加された広告が受信された場合は、ユーザ操作なく、広告表示状況監視プログラムが当該ユーザ端末で動作することを許諾する、請求項３乃至５のいずれかに記載の端末制御プログラム。
【請求項７】
ユーザ端末であって、
広告に付加された広告表示状況監視プログラムであって、前記ユーザ端末を前記ユーザ端末における広告の表示状況を監視する手段として機能させる広告表示状況監視プログラムを受信する受信部と、
前記広告と、前記広告表示状況監視プログラムとを分離し、前記広告表示状況監視プログラムを当該ユーザ端末のＯＳ、Ｗｅｂブラウザ、アプリケーションまたはプロセッサにプラグインするとともに、前記広告をＷｅｂページに表示させる広告処理部と、を備えるユーザ端末。
【請求項８】
ユーザ操作に基づき、前記広告表示状況監視プログラムが当該ユーザ端末で動作することを許諾するか否かを設定する設定部を備え、
前記広告処理部は、
（１）前記広告表示状況監視プログラムの動作を許諾する設定の場合、
前記広告表示状況監視プログラムの動作を許諾し、
前記広告表示状況監視プログラムが付加された広告を前記ユーザ端末のディスプレイに表示させ、
（２）前記広告表示状況監視プログラムの動作を許諾しない設定の場合、
前記広告表示状況監視プログラムの動作を許諾せず、
前記広告表示状況監視プログラムが付加された広告を前記ユーザ端末のディスプレイに表示させる、請求項７に記載のユーザ端末。
【請求項９】
ユーザ端末における受信部が、広告に付加された広告表示状況監視プログラムであって、前記ユーザ端末を前記ユーザ端末における広告の表示状況を監視する手段として機能させる広告表示状況監視プログラムを受信し、
前記ユーザ端末における広告処理部が、前記広告と、前記広告表示状況監視プログラムとを分離し、前記広告表示状況監視プログラムを当該ユーザ端末のＯＳ、Ｗｅｂブラウザ、アプリケーションまたはプロセッサにプラグインするとともに、前記広告をＷｅｂページに表示させる、ユーザ端末における端末制御方法。
【請求項１０】
前記ユーザ端末における設定部が、ユーザ操作に基づき、前記広告表示状況監視プログラムが当該ユーザ端末で動作することを許諾するか否かを設定し、
前記ユーザ端末における広告処理部が、
（１）前記広告表示状況監視プログラムの動作を許諾する設定の場合、
前記広告表示状況監視プログラムの動作を許諾し、
前記広告表示状況監視プログラムが付加された広告を前記ユーザ端末のディスプレイに表示させ、
（２）前記広告表示状況監視プログラムの動作を許諾しない設定の場合、
前記広告表示状況監視プログラムの動作を許諾せず、
前記広告表示状況監視プログラムが付加された広告を前記ユーザ端末のディスプレイに表示させる、請求項９に記載のユーザ端末における端末制御方法。
【請求項１１】
ユーザ端末を前記ユーザ端末における広告の表示状況を監視する手段として機能させる広告表示状況監視プログラムが付加された広告を受信する受信部と、
受信した広告表示状況監視プログラムに所定の暗号が付加されているか否かに基づいて、受信した広告表示状況監視プログラムが不正なものであるか否かを判定する判定部と、を備える不正プログラム判定装置。
【請求項１２】
ユーザ端末を前記ユーザ端末における広告の表示状況を監視する手段として機能させる広告表示状況監視プログラムが付加された広告を受信し、
受信した広告表示状況監視プログラムに所定の暗号が付加されているか否かに基づいて、受信した広告表示状況監視プログラムが不正なものであるか否かを判定する、不正プログラム判定方法。
【手続補正書】
【提出日】令和1年12月12日(2019.12.12)
【手続補正１】
【補正対象書類名】特許請求の範囲
【補正対象項目名】全文
【補正方法】変更
【補正の内容】
【特許請求の範囲】
【請求項１】
ユーザ端末を、
広告に付加された広告表示状況監視プログラムであって、前記ユーザ端末を前記ユーザ端末における広告の表示状況を監視する手段として機能させる広告表示状況監視プログラムを受信する受信部と、
前記広告と、前記広告表示状況監視プログラムとを分離し、前記広告表示状況監視プログラムを当該ユーザ端末のＯＳ、Ｗｅｂブラウザ、アプリケーションまたはプロセッサにプラグインするとともに、前記広告をＷｅｂページに表示させる広告処理部と、
ユーザ操作に基づき、前記広告表示状況監視プログラムが当該ユーザ端末で動作することを許諾するか否かを設定する設定部と、として機能させ、
前記広告処理部は、
（１）前記広告表示状況監視プログラムの動作を許諾する設定の場合、
前記広告表示状況監視プログラムの動作を許諾し、
前記広告表示状況監視プログラムが付加された広告を前記ユーザ端末のディスプレイに表示させ、
（２）前記広告表示状況監視プログラムの動作を許諾しない設定の場合、
前記広告表示状況監視プログラムの動作を許諾せず、
前記広告表示状況監視プログラムが付加された広告を前記ユーザ端末のディスプレイに表示させる、端末制御プログラム。
【請求項２】
前記設定部は、前記広告表示状況監視プログラムの動作を許諾する設定の場合に、さら
に、前記広告表示状況監視プログラムが付加されていない広告を当該ユーザ端末のディスプレイに表示することを許諾するか否かを設定し、
前記広告処理部は、
（１Ａ）前記広告表示状況監視プログラムの動作を許諾し、かつ、前記広告表示状況監視プログラムが付加されていない広告の表示を許諾する設定の場合、
前記広告表示状況監視プログラムの動作を許諾し、
前記広告表示状況監視プログラムが付加された広告を前記ユーザ端末のディスプレイに表示させ、
前記広告表示状況監視プログラムが付加されていない広告を前記ユーザ端末のディスプレイに表示させ、
（１Ｂ）前記広告表示状況監視プログラムの動作を許諾し、かつ、前記広告表示状況監視プログラムが付加されていない広告の表示を許諾しない設定の場合、
前記広告表示状況監視プログラムの動作を許諾し、
前記広告表示状況監視プログラムが付加された広告を前記ユーザ端末のディスプレイに表示させ、
前記広告表示状況監視プログラムが付加されていない広告を前記ユーザ端末のディスプレイに表示させず、
（２）前記広告表示状況監視プログラムの動作を許諾しない設定の場合、
前記広告表示状況監視プログラムの動作を許諾せず、
前記広告表示状況監視プログラムが付加された広告を前記ユーザ端末のディスプレイに表示させ、
前記広告表示状況監視プログラムが付加されていない広告を前記ユーザ端末のディスプレイに表示させる、請求項１に記載の端末制御プログラム。
【請求項３】
前記設定部は、ユーザ操作に基づき、前記広告表示状況監視プログラムの動作を許諾する設定の場合に、
前記広告表示状況監視プログラムが付加された広告が当該ユーザ端末から消去されると、前記広告表示状況監視プログラムが消滅するようにするか、
前記広告表示状況監視プログラムが付加された広告の掲載期間が経過すると、当該広告表示状況監視プログラムが消滅するようにするか、
前記広告表示状況監視プログラムの動作許諾期間を設定し、前記動作許諾期間が経過すると、当該広告表示状況監視プログラムが消滅するようにするか、
動作許諾期間を定めずに前記広告表示状況監視プログラムの動作を許諾するか、を設定する、請求項１または２に記載の端末制御プログラム。
【請求項４】
前記設定部は、
当該ユーザ端末で前記広告表示状況監視プログラムが動作していない状態で、前記広告表示状況監視プログラムが付加された広告が受信された場合に、ユーザ操作に基づいて、広告表示状況監視プログラムが当該ユーザ端末で動作することを許諾するか否かを設定し、
許諾する設定とされると、その後に前記広告表示状況監視プログラムが付加された広告が受信された場合は、ユーザ操作なく、広告表示状況監視プログラムが当該ユーザ端末で動作することを許諾する、請求項１乃至３のいずれかに記載の端末制御プログラム。
【請求項５】
ユーザ端末であって、
広告に付加された広告表示状況監視プログラムであって、前記ユーザ端末を前記ユーザ端末における広告の表示状況を監視する手段として機能させる広告表示状況監視プログラムを受信する受信部と、
前記広告と、前記広告表示状況監視プログラムとを分離し、前記広告表示状況監視プログラムを当該ユーザ端末のＯＳ、Ｗｅｂブラウザ、アプリケーションまたはプロセッサに
プラグインするとともに、前記広告をＷｅｂページに表示させる広告処理部と、
ユーザ操作に基づき、前記広告表示状況監視プログラムが当該ユーザ端末で動作することを許諾するか否かを設定する設定部と、を備え、
前記広告処理部は、
（１）前記広告表示状況監視プログラムの動作を許諾する設定の場合、
前記広告表示状況監視プログラムの動作を許諾し、
前記広告表示状況監視プログラムが付加された広告を前記ユーザ端末のディスプレイに表示させ、
（２）前記広告表示状況監視プログラムの動作を許諾しない設定の場合、
前記広告表示状況監視プログラムの動作を許諾せず、
前記広告表示状況監視プログラムが付加された広告を前記ユーザ端末のディスプレイに表示させる、ユーザ端末。
【請求項６】
ユーザ端末における受信部が、広告に付加された広告表示状況監視プログラムであって、前記ユーザ端末を前記ユーザ端末における広告の表示状況を監視する手段として機能させる広告表示状況監視プログラムを受信し、
前記ユーザ端末における広告処理部が、前記広告と、前記広告表示状況監視プログラムとを分離し、前記広告表示状況監視プログラムを当該ユーザ端末のＯＳ、Ｗｅｂブラウザ、アプリケーションまたはプロセッサにプラグインするとともに、前記広告をＷｅｂページに表示させ、
前記ユーザ端末における設定部が、ユーザ操作に基づき、前記広告表示状況監視プログラムが当該ユーザ端末で動作することを許諾するか否かを設定し、
前記ユーザ端末における広告処理部が、
（１）前記広告表示状況監視プログラムの動作を許諾する設定の場合、
前記広告表示状況監視プログラムの動作を許諾し、
前記広告表示状況監視プログラムが付加された広告を前記ユーザ端末のディスプレイに表示させ、
（２）前記広告表示状況監視プログラムの動作を許諾しない設定の場合、
前記広告表示状況監視プログラムの動作を許諾せず、
前記広告表示状況監視プログラムが付加された広告を前記ユーザ端末のディスプレイに表示させる、ユーザ端末における端末制御方法。